【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
その表面が湾曲するタッチパネルに対して入力されたタッチ操作の方向及び速度を含む操作内容を検出する検出手段と、
検出された前記方向に沿った前記タッチパネルの湾曲の程度を取得する取得手段と、
取得した前記湾曲の程度に応じて異なる、前記タッチ操作の速度に関する条件を決定する決定手段と、
検出された前記速度が、前記決定手段が決定した前記タッチ操作の速度に関する条件を満たしたことに基づいて、前記タッチ操作がフリック操作であると判定する判定手段と、を有することを特徴とする、
情報処理装置。
【請求項２】
前記検出手段は、前記タッチパネルに備えられたセンサから通知されるタッチアップを検出し、当該タッチアップが検出される前の所定期間における前記タッチ操作の方向と速度を特定することを特徴とする、
請求項１に記載の情報処理装置。
【請求項３】
前記決定手段は、前記フリック操作とそれ以外の操作とを区別するための、タッチ操作の速度に関する閾値を決定し、
前記検出手段に特定された前記タッチ操作の速度に基づくスコアが、前記決定手段に決定された速度に関する閾値を超えたことに基づいて、前記タッチ操作がフリック操作であると認識する認識手段を更に有することを特徴とする、
請求項２に記載の情報処理装置。
【請求項４】
前記決定手段は、取得した前記湾曲の程度をパラメータとする連続関数により、前記速度に関する条件を決定することを特徴とする、
請求項１に記載の情報処理装置。
【請求項５】
前記決定手段は、取得した前記湾曲の程度をパラメータとする不連続関数により、前記速度に関する条件を決定することを特徴とする、
請求項１に記載の情報処理装置。
【請求項６】
前記湾曲の程度は、前記タッチパネルの曲率であり、
前記決定手段は、
取得された前記曲率が所定値以下の場合は前記曲率をパラメータとする連続関数により前記速度に関する条件を決定し、
取得された前記曲率が前記所定値より大きい場合は前記曲率をパラメータとする不連続関数により前記速度に関する条件を決定することを特徴とする、
請求項１に記載の情報処理装置。
【請求項７】
前記決定手段は、取得した前記湾曲の程度が一定の範囲内の場合は、一定値の閾値を決定し、前記湾曲の程度が前記一定の範囲外の場合は、前記閾値を無限大とすることを特徴とする、
請求項３に記載の情報処理装置。
【請求項８】
前記検出手段は、前記タッチアップの直前の所定期間に検出された一連のタッチ位置に関する情報を所定メモリに記憶し、前記記憶された情報に基づいて前記方向及び速度を特定することを特徴とする、
請求項２に記載の情報処理装置。
【請求項９】
前記決定手段は、さらに、前記湾曲の程度の大きさに応じて前記速度に関する条件を動的に変化させることを特徴とする、
請求項１に記載の情報処理装置。
【請求項１０】
前記決定手段は、前記湾曲の程度が凸型に大きくなるにつれて前記閾値を大きく変化させ、前記湾曲の程度が凹型に大きくなるにつれて前記閾値を小さく変化させることを特徴とする、
請求項３に記載の情報処理装置。
【請求項１１】
前記タッチパネル上の位置と前記湾曲の程度の対応関係を定義するテーブルを保持するメモリをさらに備え、
前記取得手段は、前記湾曲の程度を、前記テーブルを参照することにより取得することを特徴とする、
請求項１に記載の情報処理装置。
【請求項１２】
前記取得手段は、前記湾曲の程度を動的に算定し、その算定結果から前記タッチパネルの湾曲の程度を取得することを特徴とする、
請求項１に記載の情報処理装置。
【請求項１３】
前記タッチパネルには、その表面またはその支持部位に圧力センサが設けられており、
前記取得手段は、前記圧力センサの検出値または複数回のタッチ操作時の検出時の変化により前記湾曲の程度を検出して前記タッチパネルの湾曲の程度を取得することを特徴とする、
請求項１に記載の情報処理装置。
【請求項１４】
前記タッチパネルは加えられた圧力に応じて湾曲するものであり、
前記取得手段は、タッチ操作の検出時における前記タッチパネルの前記湾曲の程度を検出して前記タッチパネルの湾曲の程度を取得することを特徴とする、
請求項１に記載の情報処理装置。
【請求項１５】
情報処理装置で実行される方法であって、
その表面が湾曲するタッチパネルに対して入力されたタッチ操作の方向及び速度を含む操作内容を検出し、
検出された前記方向に沿った前記タッチパネルの湾曲の程度を取得し、
取得した前記湾曲の程度に応じて異なる、前記タッチ操作の速度に関する条件を決定し、
検出された前記速度が、前記決定された前記タッチ操作の速度に関する条件を満たしたことに基づいて、前記タッチ操作がフリック操作であると判定することを特徴とする、
方法。
【請求項１６】
その表面が湾曲するタッチパネルを備えたコンピュータを、
前記タッチパネルに対して入力されたタッチ操作の方向及び速度を含む操作内容を検出する検出手段、
検出された前記方向に沿った前記タッチパネルの湾曲の程度を取得する取得手段、
取得した前記湾曲の程度に応じて異なる、前記タッチ操作の速度に関する条件を決定する決定手段、および、
検出された前記速度が、前記決定手段が決定した前記タッチ操作の速度に関する条件を満たしたことに基づいて、前記タッチ操作がフリック操作であると判定する判定手段、
として機能させるためのコンピュータプログラム。
【請求項１７】
請求項１６に記載のコンピュータプログラムを記憶した、コンピュータにより読み取り可能な記憶媒体。
【請求項１８】
情報処理装置であって、
その表面が湾曲する操作面に入力されたタッチ位置を検出する検出手段と、
前記情報処理装置にフリック操作が入力されたことを認識するための条件として、前記タッチ位置が最終的に検出された前記操作面上の最終位置と、前記最終位置が検出されるまでの前記タッチ位置の移動によって特定される前記操作方向とに応じた条件を決定する決定手段と、
前記最終位置が検出される前の所定期間における前記タッチ位置の変化が前記決定された条件を満たしたことに基づいて、前記情報処理装置に前記フリック操作が入力されたことを認識する認識手段と、
を有することを特徴とする、
情報処理装置。
【請求項１９】
前記決定手段は、前記条件として、前記最終位置が検出される前の所定期間における前記タッチ位置のスピードの閾値を決定し、
前記認識手段は、前記最終位置が検出される前の所定期間における前記タッチ位置のスピードが、前記条件として決定された前記スピードの閾値を超えたことに基づいて、前記情報処理装置に前記フリック操作が入力されたことを認識することを特徴とする、
請求項１８に記載の情報処理装置。
【請求項２０】
前記決定手段は、前記操作方向に沿った曲率を取得し、曲率に応じた条件を選ぶことを特徴とする、
請求項１８に記載の情報処理装置。
【請求項２１】
前記検出手段は、前記表面が湾曲した操作面上で所定の周期で前記タッチ位置を検出することにより、同一のタッチ位置と識別されるタッチ位置を追跡可能であって、
前記認識手段は、前記検出手段によってあるタッチ位置が初めて検出されてから追跡される一連のタッチ位置の入力がタッチアップにより終了されたことに応じて、前記一連のタッチ位置によって前記フリック操作が入力されたか否かを前記条件に基づいて判定する、
請求項１８に記載の情報処理装置。
【請求項２２】
情報処理装置で実行される方法であって、
その表面が湾曲する操作面に入力されたタッチ位置を検出し、
前記情報処理装置にフリック操作が入力されたことを認識するための条件として、前記タッチ位置が最終的に検出された前記操作面上の最終位置と、前記最終位置が検出されるまでの前記タッチ位置の移動によって特定される前記操作方向とに応じた条件を決定し、
前記最終位置が検出される前の所定期間における前記タッチ位置の変化が前記決定された条件を満たしたことに基づいて、前記情報処理装置に前記フリック操作が入力されたことを認識することを特徴とする、
方法。
【請求項２３】
その表面が湾曲する操作面を備えたコンピュータを、
前記操作面に入力されたタッチ位置を検出する検出手段、
前記コンピュータにフリック操作が入力されたことを認識するための条件として、前記タッチ位置が最終的に検出された前記操作面上の最終位置と、前記最終位置が検出されるまでの前記タッチ位置の移動によって特定される前記操作方向とに応じた条件を決定する決定手段、および、
前記最終位置が検出される前の所定期間における前記タッチ位置の変化が前記決定された条件を満たしたことに基づいて、前記コンピュータに前記フリック操作が入力されたことを認識する認識手段、
として機能させるためのコンピュータプログラム。
【請求項２４】
請求項２３に記載のコンピュータプログラムを記憶した、コンピュータにより読み取り可能な記憶媒体。
【手続補正２】
【補正対象書類名】明細書
【補正対象項目名】発明の名称
【補正方法】変更
【補正の内容】
【発明の名称】情報処理装置、方法、コンピュータプログラム及び記憶媒体
【手続補正３】
【補正対象書類名】明細書
【補正対象項目名】０００５
【補正方法】変更
【補正の内容】
【０００５】
本発明の情報処理装置は、その表面が湾曲するタッチパネルに対して入力されたタッチ操作の方向及び速度を含む操作内容を検出する検出手段と、検出された前記方向に沿った前記タッチパネルの湾曲の程度を取得する取得手段と、取得した前記湾曲の程度に応じて異なる、前記タッチ操作の速度に関する条件を決定する決定手段と、検出された前記速度が、前記決定手段が決定した前記タッチ操作の速度に関する条件を満たしたことに基づいて、前記タッチ操作がフリック操作であると判定する判定手段と、を有することを特徴とする。